(57)【要約】本発明は、全自動洗濯機であり、ハウジング（１）と、ハウジング（１）に設置された制御盤台（２）と、制御盤台（２）に設けられた衣類投入口と、前記洗濯機の前面側に設けられる操作・制御及び/又は表示パネル（４）と、を備える。操作・制御及び/又は表示パネル（４）は前記洗濯機の前面側に位置し、このように、操作・制御及び/又は表示パネル（４）は制御盤台の頂部のスペースを占有せず、制御盤台（２）の頂部の衣類投入口（２１）の設計を助長し、且つ前方表示によって、ユーザの操作便利さを向上させるのに役に立つ。また、制御盤台（２）の頂面にこぼれた水が操作・制御及び/又は表示パネル（４）の電気部品に浸透することを回避し、例えば水が操作・制御及び/又は表示パネルの取付隙間に滴下しても、水滴が重力によって隙間に沿って下方へ流下するため、操作・制御及び/又は表示パネルの取り扱いの安全性を高める。【選択図】図１
2020509894.tif 000002
【特許請求の範囲】
【請求項１】
全自動洗濯機であって、
ハウジングと、前記ハウジングに設置された制御盤台と、操作・制御及び/又は表示パネルと、前記制御盤台に設けられた衣類投入口と、を備えており、
前記操作・制御及び/又は表示パネルは前記洗濯機の前面側に設けられることを特徴とする全自動洗濯機。
【請求項２】
前記操作・制御及び/又は表示パネルは前記ハウジングの前側面に設けられることを特徴とする請求項１に記載の全自動洗濯機。
【請求項３】
前記操作・制御及び/又は表示パネルは前記制御盤台の前側面に設けられることを特徴とする請求項１に記載の全自動洗濯機。
【請求項４】
前記制御盤台の前面側に前記操作・制御及び/又は表示パネルに適合する溝の開口部が設けられ、前記操作・制御及び/又は表示パネルの一部又は全部を前記溝の開口部に嵌合されることを特徴とする請求項３に記載の全自動洗濯機。
【請求項５】
前記制御盤台は少なくとも前記制御盤台の頂部壁が前方に延在し前記制御盤台の前部壁面を突出して頂部壁延在部が形成され、前記操作・制御及び/又は表示パネルは前記頂部壁延在部の下方に設置され、前記頂部壁延在部の縁部は前記操作・制御及び/又は表示パネルの端面に合致し、前記操作・制御及び/又は表示パネルの左右両端は後方に延在しパネル延在部が形成され、前記パネル延在部と前記制御盤台の左右側壁とは面一となることを特徴とする請求項３に記載の全自動洗濯機。
【請求項６】
前記制御盤台の前部の周縁部に段差構造が設けられ、前記操作・制御及び/又は表示パネルの縁部は後方に延在し、前記段差構造に取り付けられ、前記操作・制御及び/又は表示パネルは前記制御盤台の縁部に適合することを特徴とする請求項3に記載の全自動洗濯機。
【請求項７】
前記操作・制御及び/又は表示パネルは、前後から順次に設置された前部制御パネルと、ブラケットと、表示パネルと、を備え、前記前部制御パネルと前記表示パネルは、それぞれ前記ブラケットに固定され、前記ブラケットは前記制御盤台の前部壁面に固定され、前記前部壁面に凹状の収納室が設けられ、前記表示パネルに後方に張り出す部分は前記収納室に位置することを特徴とする請求項３〜６のいずれか一項に記載の全自動洗濯機。
【請求項８】
前記ブラケットに後方へ張り出す固定爪部が複数設けられ、前記前部壁面に前記固定爪部に適合する第１貫通孔が設けられ、前記固定爪部は前記第１貫通孔を貫通し、ネジによって前記収納室の後端面に固定されることを特徴とする請求項７に記載の全自動洗濯機。
【請求項９】
前記ブラケットは後方に張り出す係合爪が複数設けられ、前記前部壁面に前記掴み具に適合する第２貫通孔が設けられ、前記第２貫通孔の後端面に前記収納室の周壁に沿って後方に延在する係合部が設けられ、前記係合爪は前記第２貫通孔を貫通し、前記係合部に係合することを特徴とする請求項７に記載の全自動洗濯機。
【請求項１０】
前記ブラケットの上端面と前記前部制御パネルの上端面とは面一となり、前記ブラケットの下端面は前記前部制御パネルの下端面より低く、前記ブラケットの下端面と前記前部壁面の下端面とは面一となることを特徴とする請求項７に記載の全自動洗濯機。
【発明の詳細な説明】
【技術分野】
【０００１】
本発明は、洗濯機の技術分野に属し、具体的には前面表示ができる全自動洗濯機に関する。
【背景技術】
【０００２】
現在洗濯機は日常生活の必需品であり、衣類の洗濯という基本的な機能を満たす以外に、斬新な、美しい外観構造が、消費者にとってより魅力的になり、各洗濯機メーカーが研究に専念する方向となっている。
【０００３】
全自動洗濯機は、ハウジングに制御盤台が設置され、制御盤台の頂面に制御パネルが設けられ、制御パネルと洗濯機の上部蓋は前後に並んで設置され洗濯機の上頂面が形成される。このように、制御パネルは制御盤台の一部の頂面のスペースを占め、制御盤台の衣類投入口の増大に不利であり、また、上部蓋と制御パネルと共に上頂面が形成され、簡単且つ上品ではなく、洗濯機の頂面と面一となることができなく、物品を放置することができない。
【発明の概要】
【発明が解決しようとする課題】
【０００４】
制御パネルは制御盤台の収納溝に取り付けて固定し、制御盤台の頂面と収納溝の頂面とは面一となり、即ち制御パネルの頂面の縁部と収納溝の側壁との間に隙間があり、制御パネルにこぼれた水は、隙間に沿って収納溝に進入することができ、制御パネルの電気部品を損傷する可能性がある。
【課題を解決するための手段】
【０００５】
本発明は、従来技術に存在する上記の問題に対して、操作・制御及び/又は表示パネルを前部に表示し、外観が美しく、操作が便利で、衣類投入口の設計を助長し、ユーザの操作便利さを向上させる全自動洗濯機を提供する。
【０００６】
上記の技術的目的を達成するために、本発明は、次の技術的解決手段を用いて実現する。
【０００７】
全自動洗濯機であって、ハウジングと、前記ハウジングに設置された制御盤台と、操作・制御及び/又は表示パネルと、前記制御盤台に設けられた衣類投入口と、を備えており、前記操作・制御及び/又は表示パネルは前記洗濯機の前面側に設けられる。
【０００８】
さらに、前記操作・制御及び/又は表示パネルは前記ハウジングの前側面に設けられる。
【０００９】
さらに、前記操作・制御及び/又は表示パネルは前記制御盤台の前側面に設けられる。
【００１０】
さらに、前記制御盤台の前面側に前記操作・制御及び/又は表示パネルに適合する溝の開口部が設けられ、前記操作・制御及び/又は表示パネルの一部又は全部を前記溝の開口部に嵌合される。
【００１１】
さらに、前記操作・制御及び/又は表示パネルは前記制御盤台の頂部壁の下方に位置する。
【００１２】
さらに、前記操作・制御及び/又は表示パネルの前端面と前記制御盤台の頂部壁とは面一となる。
【００１３】
さらに、前記制御盤台は少なくとも前記制御盤台の頂部壁が前方に延在し前記制御盤台の前部壁面を突出して頂部壁延在部が形成され、前記操作・制御及び/又は表示パネルは前記頂部壁延在部の下方に設置され、前記頂部壁延在部の縁部は前記操作・制御及び/又は表示パネルの端面に合致し、前記操作・制御及び/又は表示パネルの左右両端は後方に延在しパネル延在部が形成され、前記パネル延在部と前記制御盤台の左右側壁とは面一となる。
【００１４】
さらに、前記制御盤台の前部の周縁部に段差構造が設けられ、前記操作・制御及び/又は表示パネルの縁部は後方に延在し、前記段差構造に取り付けられ、前記操作・制御及び/又は表示パネルは前記制御盤台の縁部に適合する。
【００１５】
さらに、前記操作・制御及び/又は表示パネルは、前後から順次に設置された前部制御パネルと、ブラケットと、表示パネルと、を備え、前部制御パネルと表示パネルは、それぞれ前記ブラケットに固定され、前記ブラケットは前記制御盤台の前部壁面に固定され、前記前部壁面に凹状の収納室が設けられ、前記表示パネルに後方に張り出す部分は前記収納室に位置する。
【００１６】
さらに、前記ブラケットに後方へ張り出す固定爪部が複数設けられ、前記前部壁面に前記固定爪部に適合する第１貫通孔が設けられ、前記固定爪部は前記第１貫通孔を貫通し、ネジによって前記収納室の後端面に固定される。
【００１７】
さらに、前記ブラケットは後方に張り出す係合爪が複数設けられ、前記前部壁面に前記係合爪に適合する第２貫通孔が設けられ、前記第２貫通孔の後端面に前記収納室の周壁に沿って後方に延在する係合部が設けられ、前記係合爪は前記第２貫通孔を貫通し、前記係合部に係合する。
【００１８】
さらに、前記係合部が少なくとも離間して平行に配置した２つの柱状の係合部を備える。
【００１９】
さらに、前記ブラケットの上端面と前部制御パネルの上端面とは面一となり、前記ブラケットの下端面は前記前部制御パネルの下端面より低く、前記ブラケットの下端面と前記前部壁面の下端面とは面一となる。
【００２０】
さらに、前記ブラケットに前記表示パネルを張り出すための表示開口部が設けられ、前記ブラケットの前端面の表示開口部の周囲に密閉溝が設けられ、前記表示パネルの前端面とブラケットの前端面とは面一となる。
【００２１】
さらに、前記表示パネルは、前記表示開口部に適合する表示パネル本体と、前記表示パネル本体に沿って周方向に延在するバッフル板と、を有し、前記バッフル板は前記表示開口部の後部を遮る。
【００２２】
さらに、前記ブラケットには前記バッフル板に係合し、後方に突出したバックルが設けられ、前記バックルは前記バッフル板に係合する。
【００２３】
前記前部制御パネルに後方に張り出す位置決めリブが設けられ、前記ブラケットと前記溝口の底部には、それぞれ対応する位置決め孔が設けられ、前記位置決めリブは前記位置決め孔を貫通する。
【発明の効果】
【００２４】
本発明に係る全自動洗濯機は、操作・制御及び/又は表示パネルは前記洗濯機の前方側に位置し、このように、操作・制御及び/又は表示パネルは制御盤台の頂部のスペースを占有せず、制御盤台の頂部の衣類投入口の設計を助長し、且つ前方表示によって、ユーザの操作便利さを向上させるのに役に立つ。また、制御盤台の頂面にこぼれた水が操作・制御及び/又は表示パネルの電気部品に浸透することを回避し、即ち水が操作・制御及び/又は表示パネルの取付隙間に滴下しても、水滴が重力によって隙間に沿って下方へ流下するため、操作・制御及び/又は表示パネルの取り扱いの安全性を高める。
【図面の簡単な説明】
【００２５】
【図１】本発明に係る全自動洗濯機の第１実施形態の構造概略図である。
【００２６】
【図２】図１中の制御盤台構造の拡大概略図である。
【００２７】
【図３】図２中の構造の分解概略図である。
【００２８】
【図４】図３の制御盤台の前壁面構造の拡大概略図である。
【００２９】
【図５】図４中の背面視の構造概略図である。
【００３０】
【図６】図３中のブラケット構造の拡大概略図である。
【００３１】
【図７】図６中の背面視の構造概略図である。
【００３２】
【図８】図３中の前部制御パネルの背面視の構造の拡大概略図である。
【００３３】
【図９】図３中の背底面視の構造概略図である。
【００３４】
【図１０】図９中の部分の断面構造の拡大概略図である。
【００３５】
【図１１】図１０中のＡ領域の構造の拡大概略図である。
【００３６】
【図１２】図１中の洗浄剤ケース構造の拡大概略図である。
【００３７】
【図１３】図１２中の他方向からの構造概略図である。
【００３８】
【図１４】図１３中のＢ領域の部分構造の拡大概略図である。
【００３９】
【図１５】図１２中の構造の分解概略図である。
【００４０】
【図１６】図１５中のＣ領域の部分構造の拡大概略図である。
【００４１】
【図１７】図１３中の構造の分解概略図である。
【００４２】
【図１８】図１７中のＤ領域の部分構造の拡大概略図である。
【００４３】
【図１９】図１２中の横断面構造の拡大概略図である。
【００４４】
【図２０】図１９中のＥ領域の部分構造の拡大概略図である。
【００４５】
【図２１】図１２中の排水部の縦断面構造の拡大概略図である。
【００４６】
【図２２】図２１中のＦ領域の部分構造の拡大概略図である。
【００４７】
【図２３】本発明に係る全自動洗濯機の第２実施形態の構造概略図である。
【００４８】
【図２４】図２３中のＨ領域の構造の拡大概略図である。
【発明を実施するための形態】
【００４９】
本発明の好ましい実施形態
本発明の実施形態の目的、技術的解決手段及び利点をより明確するために、次に本発明の実施形態の図面を併せて本発明の実施形態の技術的解決手段を明白に、詳細に説明する。
【００５０】
本発明の記載では、言及すべきなのは、用語「前」、「後」、「上」、「下」、「左」、「右」などは、方向または位置関係を示し、洗濯機が正常に使用する際、使用者に対して、本発明の説明を容易、かつ簡便にするのに用いるが、装置や部品が必ず特定方向となることや、特定構成及び操作を表示や暗示することではない。従って、本発明を限定するものと解釈されない。また、用語「第１」、「第２」は単に例示目的のためであり、表示または暗示することを意図し、相対的な重要度を示すものではない。
【００５１】
図１〜図２２に示すように、本発明に係る全自動洗濯機の第１実施形態であり、全自動洗濯機は、外槽と内槽が嵌装されたハウジング１と、ハウジング１の頂部に設けられた制御盤台２と、制御盤台２に開設された衣類投入口２１と、制御盤台２に衣類投入口２１をヒンジによって開閉可能な上蓋３と、制御盤台２の前方側に設けられた操作・制御表示パネル４と、を備える。このように、操作・制御及び/又は表示パネルは制御盤台２の頂部のスペースを占有せず、制御盤台２の頂部の衣類投入口２１の設計を助長し、且つ前方表示によって、ユーザの操作便利さを向上させるのに役に立つ。
【００５２】
他の実施形態では、操作・制御パネルまたは表示パネルのみを制御盤台２の前面側に設け、或いは、操作・制御及び/又は表示パネルをハウジング１の前面側に設ける。
【００５３】
本実施形態では、図１〜図３に示すように、制御盤台２の前面側に操作・制御表示パネル４に適合する、溝の開口部２２が設けられ、操作・制御表示パネル４が溝の開口部２２に収納され、操作・制御表示パネル４は、洗濯機の上部の前端面に形成されている。操作・制御表示パネル４は制御盤台２の前面側に縦方向に設けられ、このように、操作・制御表示パネル４は制御盤台２の頂部のスペースを占有せず、制御盤台２の頂部の衣類投入口２１の設計を助長し、且つ前方表示によって、ユーザの操作便利さを向上させるのに役に立つ。また、操作・制御表示パネル４が縦方向に前方に設置されることによって、制御盤台２の頂面にこぼれた水が浸透することを回避し、即ち水が操作・制御表示パネル４と制御盤台２との取付隙間に滴下しても、水滴が重力によって隙間に沿って下方へ流下し、操作・制御表示パネル４の取り扱いの安全性を高める。
【００５４】
本実施形態では、図１及び図１３に示すように、制御盤台２の頂壁２３は前方に延在し、制御盤台の前壁面２２１から突出して頂壁延在部２３１が形成され、操作・制御表示パネル４が取付け固定された後、操作・制御表示パネル４の前端面が頂壁延在部２３１の下方に位置し、操作・制御表示パネル４の前端面と頂壁延在部２３１の前縁部とは面一となり、操作・制御表示パネル４を容易に操作し、観察しやすいように制御盤台２は上方且つ後方に傾斜するように設置される。制御盤台２の頂部延在部２３１の下方に操作・制御表示パネル４を設置することによって、制御盤台２は頂部延在部２３１の下端面と隣接させ、制御盤台２と頂部延在部２３１との間の隙間の継ぎ目は縦方向面に位置し、頂壁２３の頂面に位置する両方との隙間に比べて、水の浸透の安全性を高める。
【００５５】
図２に示すように、美観をさらに高めるために、操作・制御表示パネル４の左右両端は、後方に湾曲する延在部４１を有し、延在部４１と制御盤台２の左右側壁２４とは面一となり、このように、操作・制御表示パネル４と制御盤台２とを組立した後の左右両側の隙間は、制御盤台２の左右両側面に位置させ、前端面の美観を高める。
【００５６】
本実施形態では、溝口２２は、制御盤台２の前壁面２２１を備え、左右の側壁２４に連結する側縁と、頂壁延在部２３１とを囲んで形成されている。溝口２２は下端と前端に開口した溝である。このように、操作・制御表示パネル４を取り付けた後、操作・制御表示パネル４の上端と左右両端のみには制御盤台２と組立され、取付隙間があり、取付した前端面の美観を高める。
【００５７】
本実施形態では、操作・制御表示制御パネル４は、前後から順次に設置された前部制御パネル４２と、ブラケット４３と、表示パネル４４と、を備え、表示パネル４４は後方からブラケット４３に係合して固定され、ブラケット４３に表示パネル４４を前方へ張り出すための表示開口部４３１が設けられ、表示パネル４４の前端面とブラケット４３の前端面とは面一となり、表示パネル４４と前部制御パネル４２との間にタッチフィルム（図示せず）が設けられ、タッチフィルムは前部制御パネル４２の後端面に取り付けられ、前部制御パネル４２の後端面の縁部はブラケット４３と溶接して固定され、前壁面２２１に凹状の収納室２２１１が設けられ、表示パネル４４の後方に突出した一部は収納室２２１１に位置する。操作・制御表示パネル４は、ブラケット４３の係合固定構造を介して底部に固定される。
【００５８】
図４、図５、図７及び図１０に示すように、ブラケット４３に後方に張り出す固定爪４３２が複数設けられ、前壁面２２１に固定爪４３２に適合する第１貫通孔２２１２が設けられ、固定爪４３２が第１貫通孔２２１２を貫通し、ネジによって収納室２２１１の後端面に固定される。固定爪４３２が後方へ延在する固定爪本体４３２１と、固定爪本体４３２１の端部に沿って収納室２２１１の方向へ湾曲する固定部４３２２と、を有し、固定部４３２２にネジによって貫通する貫通孔を開設し、収納室２２１１の後端面に適合する固定ネジ孔２２１５が設けられる。好ましくは固定爪４３２がブラケット４３の下部に設けられ、このように、ネジの固定を容易にし、作業効率を向上させる。固定爪４３２を収納室２２１１の後端面に固定することによって、固定の堅牢性を向上させ、且つ固定の操作を容易にする。
【００５９】
ブラケット４３に後方へ張り出す係合爪４３３が複数設けられ、前壁面２２１に係合爪４３３に適合する第２貫通孔２２１３が設けられ、第２貫通孔２２１３の後端面に収納室２２１１の周壁に沿って後方に延在する係合部２２１４が設けられ、係合爪４３３は第２貫通孔２２１３を貫通し、係合部２２１４に係合する。ブラケット４３の後端面に係合爪４３３が一周設けられ、係合部２２１４は離間して平行に配置した３つの柱状の係合部であり、柱状の係合部の後端面は係合爪４３３に係合する。係合部２２１４は離間して平行に配置した３つの柱状の係合部であるよう設置することによって、構造的安定性を増加させ、係合の安定性を増加させる。
【００６０】
本実施形態では、ブラケット４３の上端面と前部制御パネル４２の上端面とは面一となり、ブラケット４３の下端面は前部制御パネル４２の下端面より低く、ブラケット４３の下端面と溝口２２の下端面とは面一となる。前部制御パネル４２の下端面が低く、操作・制御表示パネル４を取り付けた後に前部制御パネル４２のみを見ることができ、内部のブラケット４３と、溝口２２をみることができなく、外観の美しさを高める。
【００６１】
本実施形態では、図７及び図９に示すように、表示パネル４４の保護を強化し、水が表示パネル４４に浸透することを回避するために、ブラケット４３と前部制御パネル４２との間にシールリング（図示せず）が設けられる。具体的には、ブラケット４３の前端面の表示開口部４３１の外周に密閉溝４３４が設けられ、前部制御パネル４２の後端面に前記密閉溝４３４に適合する凸リブ４２１が設けられ、密閉溝４３４と凸リブ４２１との間にシールリングが設けられ、表示パネル４２の安全性を高める。
【００６２】
この実施形態では、図１１に示すように、表示パネル４４は表示開口部４３１に適合する表示パネル本体４４１と、表示パネル本体４４１に沿って周方向に延在するバッフル板４４２と、を有し、バッフル板４４２は表示開口部４３１の後部を遮る。ブラケット４３にバッフル板４４２に係合する、後方へ張り出すバックル４３５が設けられ、バックル４３５がバッフル板４４２に係合し、表示パネル４４はブラケット４３に係合固定されることを達成する。操作・制御表示パネル４の組立や取付固定の速度を増加するために、前部制御パネル４２に後方へ張り出す位置決めリブ４２２が設けられ、ブラケット４３と前壁面２２１にそれぞれ対応する位置決め孔が設けられ、位置決めリブ４２２が位置決め孔を貫通し、取付位置決めの役割を果たし、図９に示す。
【００６３】
以下に、衣類投入口２１の設置について説明する。図２に示すように、衣類投入口２１は制御盤台２の頂壁２３に設けられ、頂壁２３の後部に上蓋３がヒンジによって結合され、前部に衣類投入口２１が形成される。衣類投入口２１は平滑で規則的な円形であり、制御盤台２に配置された管経路は標準的な円弧状の曲がり管を用いて衣類投入口２１の円形を囲んで配置することができ、このように、制御盤台２内の空間利用率を向上させ、制御盤台２は規則的な空間形状に囲まれ、内部の部品配置を容易にする。異形型の部品の使用を回避し、製造コストを削減し、取付を容易にする。洗濯物を取り出す際、円形で円滑な衣類投入口２１は洗濯物を引っ掛けることがなく、洗濯物への損傷を避ける。また、円形の衣類投入口の外観の美観を向上させ、より良好な視覚効果となる。制御盤台２に円形の衣類投入口２１が設置されたことによって、制御盤台２の製造を容易にし、コストが低い。
【００６４】
以下に、洗剤ボックスの設置について説明する。図１１〜図２２に示すように、洗剤ボックス６は片持ち梁のように衣類投入口２１内に設置され、洗剤ボックス６の後端は取付溝を介して制御盤台４に結合され、洗剤ボックス６の前方部は衣類投入口２１内に突出している。このように、濯ぎ行程において、洗剤ボックス６の状況観察を容易にし、洗剤ボックス６の水出口部の目詰まりによる電気部品の損傷を回避する。流出水が制御盤台４に制限されないように洗剤ボックス６は片持ち梁のように衣類投入口２１内に設置され、洗剤ボックス６から流れる水を直接内槽に噴射し、片持ち梁のように衣類投入口に設置された洗剤ボックス６から内槽３までの間に障壁がなく、大きな噴射空間を有し、濯ぎの噴射範囲を高めるのに役立ち、洗濯機内の洗濯物と噴射水との接触を向上させ、噴射水は洗濯物の汚れを洗い落とす効果を向上させ、洗濯物の汚れの除去を促進し、洗濯機の洗浄率を向上させる。洗濯機が起動した後の注水湿潤の段階において、内槽中の下部にある洗濯物は水面の水によって濡らして沈下し、内槽中の上部にある洗濯物は噴射水によって濡らして、濡らした後の重量が増加して沈下し、洗濯物を濡らすために必要な時間を短縮し、浸漬時間が増加し、洗濯物の汚れの除去を促進し、洗濯機の洗浄率を向上させる。洗剤ボックス６の外形寸法は制御盤台４の部品キャビティの空間形状に制限せず、洗剤ボックス寸法６の設計の柔軟性を高める。
【００６５】
洗剤ボックス６は、洗剤投入ボックス６１と、給水ボックス６２と、水ボックス蓋６４と、を備え、洗剤投入ボックス６１と給水ボックス６２との間に帯状の貯水室６３が形成され、貯水室６３は洗剤ボックス６の長手方向に沿って設置された帯状（トリップ）、又は左右方向の帯状である。
【００６６】
本実施形態では、洗剤投入ボックス６１と給水ボックス６２、及び洗剤投入ボックス６１と給水ボックス６２との間に形成された帯状の貯水室６３が設置されることにより、排水の水量の供給に役に立ち、排水の流れを安定させるのに役立つ。帯状の貯水室６３を設置することによって、洗剤ボックスから流出する水の幅を増加させ、内槽にある噴射範囲を高め、洗濯機内の洗濯物と噴射水との接触を向上させ、噴射水は洗濯物の汚れを洗い落とす効果を向上させ、洗濯物の汚れの除去を促進し、洗濯機の洗浄率を向上させる。洗濯機が起動した後の注水湿潤の段階において、内槽中の上部にある洗濯物は噴射水によって濡らして、濡らした後の重量が増加して沈下し、洗濯物を濡らすために必要な時間を短縮し、浸漬時間が増加し、洗濯物の汚れの除去を促進し、洗濯機の洗浄率を向上させる。洗剤投入ボックス６１と給水ボックス６２との間に帯状の貯水室６３が形成されることにより、洗剤投入ボックス６１と給水ボックス６２との部分構造によって形成された帯状の貯水室６３の室壁を有効に利用し、洗剤ボックス６の構造がコンパクトにし、材料コストを削減することに役に立つ。
【００６７】
本実施形態では、図１７及び図１８に示すように、給水ボックス６２に貯水室６３に適合する帯状の排水部６２１が設けられ、帯状の排水部６２１を設置することによって、帯状の排水部６２１から流出する水の幅を増加させ、内槽にある噴射範囲を高め、洗濯機内の洗濯物と噴射水との接触を向上させ、噴射水は洗濯物の汚れを洗い落とす効果を向上させ、洗濯物の汚れの除去を促進し、洗濯機の洗浄率を向上させる。
【００６８】
この実施形態では、給水ボックス６２は頂部が開放したボックス本体であり、洗剤投入ボックス６１が前記ボックス本体内に配置され、水ボックス蓋６４は給水ボックス６２の頂部に適合し、水ボックス蓋６４は洗剤投入ボックス６１の上部に配置され、洗剤投入ボックス６１内に少なくとも一つの洗剤投入室６１４が設置され、水ボックス蓋６４上に洗剤投入室６１４に対応する洗剤投入口６４１が設置されている。具体的には、洗剤投入ボックス６１は給水ボックス６２によって形成されたボックス本体内に配置され、両方はネジによって固定され、水ボックス蓋６４は洗剤投入ボックス６１に係合して固定される。又は給水ボックス６２と水ボックス蓋６４は洗剤投入ボックス６１の外側を覆い、このように、洗剤ボックス6の外観の美しさを高め、洗剤ボックス６の強度を高めるのに役に立つ。
【００６９】
本実施形態では、図１７に示すように、貯水室６３は、洗剤投入ボックス６１の背面に沿って下方へ延在するリブによって形成された給水室６１１と、給水ボックス６２の正面に沿って上方に延在するリブによって形成された排水部６２１と、から密閉に形成されている。本実施形態では、給水室６１１と排水部６２１との密閉によって形成された貯水室６３は、貯水室６３に流入する液体を一定の圧力に形成して帯状の排水部６２１から均一に流出する。水流が内槽にある洗濯物の汚れを洗い落とす効果を向上させ、内槽に流入する水の噴射範囲を高め、洗濯機の洗浄率を向上させるのに役に立つ。
【００７０】
図１６、図１７及び図２０に示すように、洗剤投入ボックス６１の背面に下方へ延在するリブによって給水室６１１が形成され、給水ボックス６２の排水部６２１の外周にリブが一周設置され、リブと排水部６２１の外周との間に溝部６２１２が形成される。給水室６１１の下端部は溝部６２１２内に配置され、溝部６２１２と密閉する。給水室６１１と溝部６２１２とを密閉することによって貯水室６３が形成され、貯水室６３に水が充満するのに役に立ち、帯状の排水部６２１の各箇所から流出した水の流速及び流量が同一又は類似であり、均一な流れが形成される。水は排水部６２１から流出した後、水流が内槽にある洗濯物の汚れを洗い落とす効果を向上させ、内槽に流入する水の噴射範囲を拡大させ、洗濯機の洗浄率を向上した。
【００７１】
本実施形態では、貯水室６３は特別に設置された給水室６１１と排水部６２１から囲まれて、貯水室６３の形状、大きさの設置は貯水室６３内で水流が排水部６２１まで到達した後に分流させるのに役に立ち、よりよく排水部６２１から流出した水流の均一性を確保することができる。
【００７２】
本実施形態では、排水部６２１の底部の長手方向、又は左右方向に複数の排水孔６２３を離間で一列に開設され、貯水室６３に流入する水は、一列の排水孔６２３から同時に、各排水孔６２３から水柱のように流出し、美しい水カーテン状の水流が形成され、洗剤ボックス６は注水際の噴射範囲を増加させた。
【００７３】
本実施形態では、図１５、図１９及び図１１に示すように、洗剤ボックス６１は一体成形されたドレナージ管６１３を有し、ドレナージ管６１３は貯水室６３と連通する。ドレナージ管６１３が洗剤投入ボックス６１の左右方向の中間に配置され、後方に張り出す。
【００７４】
本実施形態では、図２４に示すように、排水孔６２３の上端面は水平面であり、地球の自転の影響で、貯水室６３にある水は排水孔６２３に流れると、旋回流が形成され、排水孔６２３の上端面を水平面に設置することにより、貯水室６３にある水は排水孔６２３へ流れることを容易にし、無秩序な流れを形成することによって、排水孔６２３から流出した水の方向や圧力に対する影響を回避する。
【００７５】
本実施形態では、排水孔６２３は上端の給水口６２３１と、下端の排水口６２３２と、を有し、貯水室６３の給水面積、即ちドレナージ管６１３の排水口６１３１の面積は、すべての排水孔６２３の排水口６２３２の面積の和に等しくなり、即ち貯水室６３の給水面積は排水面積と等しくなり、貯水室６３の給水水圧と排水水圧とは等しい。
【００７６】
本実施形態では、排水孔６２３の高さを増大させ、排水孔６２３の排水口６２３２から流出した水は水柱水のように流れ、水カーテン状の水流を形成し、内槽にある洗濯物への噴射効果を高める。排水部６２１の底部に給水ボックス６２の下表面に沿って下方への延在部を有するよう設置され、このように、排水孔６２３の高度を増加させ、水流は排水孔６２３の下端の排水口６２３２から流出した後に水柱が形成され、水流は排水口６２３２から噴出して内槽にある洗濯物の汚れを洗い落とし、清浄度を向上させる。
【００７７】
本実施形態では、排水孔６２３の縦断面は上が広く下が狭いテーパ構造である。排水孔６２３をテーパ状に設けることにより、排水口６２３２に水量を供給するのに役に立ち、連続的な水の流れが形成されている。具体的には、排水孔６２３の上端面の給水口６２３１直径と下端面の排水口６２３２との直径比は、１．５〜３であるように設けられている。排水孔６２３の高さは排水孔６２３から流出する水の流れを連続した水柱になるように設けられ、水の流れは一定の高さを有する排水孔６２３に流れ、水の流れ方向を排水孔６２３の軸線方向であるように整流し、排水口６２３２から流出した水は水柱になることによって、排水孔６２３全体は水カーテン状の水の流れに形成され、内槽にある洗濯物の汚れを洗い落とすよう形成され、清浄度を向上させるのに役に立つ。排水口６２３２から流出した後に発散した水の流れになることを回避する。
【００７８】
本実施形態では、図１５及び図１７に示すように、洗剤投入ボックス６１に二つの洗剤投入室６１４を有し、洗剤投入室６１４はドレナージ管６１３の両側に配置する。ドレナージ管６１３は貯水室６３の中部に配置される。ドレナージ管６１３の排水口６１３１に近い排水孔６２３の高さが高くなるよう設けられ、水が少し長い時間かかって排水孔６２３の排水口、即ち排水部６２１の下端面に到達する。ドレナージ管６１３の排水口６１３１に遠い排水孔６２３の高さが低くなるよう設けられ、水が少し短い時間かかって排水孔６２３の排水口６２３２、即ち排水部６２１の下端面に到達する。貯水室６３に流れる水は、まずレナージ管６１３の排水口に近い排水孔６２３に到達し、少し長い時間かかって排水孔６２３の排水口に到達する。その後、ドレナージ管６１３の排水口６１３１に遠い排水孔６２３に到達し、少し短い時間かかって排水孔６２３の排水口に到達する。このように、できるだけ排水部６２１の複数の排水孔６２３の排水量を一致するよう維持し、水カーテン状の水流れを形成するのに役に立つ。図１０及び図１１に示す。
【００７９】
本実施形態では、排水孔６２３の高さが異なり、排水部６２１の底部の中央部に突出する凸部を有することによって、中央部の排水孔６２３の高さを増加させる。排水部６２１の底部の上面に中央部が高く、両側が低い隆起構造が形成され、貯水室６３の中央部から流入した水が、突出した斜面に沿って中央部から左右両側に流れるのに役に立ち、貯水室６３内の水を排水部６２１の複数の排水孔６２３により速く到達させる。排水部６２１の下端面が中間の凸状円弧面であり、中間の排水孔６２３の高さは、両側の排水孔６２３の高さよりも高くなる。
【００８０】
本実施形態では、給水ボックス６２の下端に透水孔６２４が開設され、このように、給水ボックス６２と洗剤投入ボックス６１との間の水が透水孔６２４を通って内槽に流入することができる。
【００８１】
給水ボックス６２の傾斜板に設けられた凹状の機能室６２８が設置され、機能室６２８は排水部６２１の後部に設置され、給水ボックス６２は機能室６２８を開閉する機能室蓋６２９を有し、機能室蓋６２９は下方の給水ボックス６２の凹状の機能室６２８の端部に固定され、機能室蓋６２９は傾斜板にある傾斜面に配置される。機能室６２８に追加の機能モジュールを設置してもよく、本実施形態では、殺菌消毒用モジュールを設置し、具体的には殺菌消毒ランプであり、光照射により殺菌する。
【００８２】
本発明の実施形態
実施例
図２３〜図２４に示すように、本発明に係る全自動洗濯機の第２の実施形態である。本実施形態は第１実施形態との主な相違点は、操作・制御表示パネルと制御盤台の組立が異なることにあり、他は第1実施形態と同様の構造である。
【００８３】
本実施形態では、制御盤台２の前部に周方向に段差構造２８が設けられ、即ち制御盤台２の前壁と頂壁２３及び側壁２４との間に段差構造２８が形成され、操作・制御表示パネルの縁部は後方へ延在し、段差構造２８に係合され、操作・制御表示パネルを取付した後に制御盤台２の縁部に適合し、即ち制御盤台２の頂壁２３、側壁２４と面一となる。
【００８４】
以上に説明したのは、本発明の好ましい実施形態であり、本発明を他の形式で制限するものではなく、当業者は上記に開示の技術的内容と同等の変化である等価の実施形態を変更または変形することができる。本発明の技術的解決手段内容から逸脱せず、本発明の実質的技術に基づいた上記の実施形態の如何なる簡単な修正、同等の変化と変形は、依然として本発明の技術的解決手段の保護範囲に属する。
【図１】
2020509894.tif 000003
【図２】
2020509894.tif 000004
【図３】
2020509894.tif 000005
【図４】
2020509894.tif 000006
【図５】
2020509894.tif 000007
【図６】
2020509894.tif 000008
【図７】
2020509894.tif 000009
【図８】
2020509894.tif 000010
【図９】
2020509894.tif 000011
【図１０】
2020509894.tif 000012
【図１１】
2020509894.tif 000013
【図１２】
2020509894.tif 000014
【図１３】
2020509894.tif 000015
【図１４】
2020509894.tif 000016
【図１５】
2020509894.tif 000017
【図１６】
2020509894.tif 000018
【図１７】
2020509894.tif 000019
【図１８】
2020509894.tif 000020
【図１９】
2020509894.tif 000021
【図２０】
2020509894.tif 000022
【図２１】
2020509894.tif 000023
【図２２】
2020509894.tif 000024
【図２３】
2020509894.tif 000025
【図２４】
2020509894.tif 000026
【国際調査報告】
2020509894.tif 000027
2020509894.tif 000028
2020509894.tif 000029
2020509894.tif 000030
2020509894.tif 000031